(57)【特許請求の範囲】
【請求項１】
上方に開口した容器本体と、容器本体の上部に着脱可能な蓋体を有する飲料容器であって、
蓋体には、上方に突出形成した上部に円形の第１外周部を形成するとともに、その下方に第２外周部を形成し、第２外周部は第１外周部よりも大径で螺子を周設したものとし、
円板状の透明カバーを、その周縁下側に設けた周壁が第１外周部を外側から囲むようにして取り付け、第１外周部上方と透明カバーの間に適宜の表示を付した表示シートを、透明カバーを透過して見える態様で保持しており、
さらに、透明カバーの周縁部を囲むようにした締付けリングを、その下端側の内面に設けた螺子を第２外周部の螺子に螺合させて取り付け、透明カバーを保持していることを特徴とする飲料容器。
【請求項２】
透明カバーの下側に表示シートを挟んで下部カバーを設け、透明カバーと下部カバーの互いの周縁部を溶着して一体化し、透明カバーと表示シートを分離できないようにしている請求項１記載の飲料容器。
【請求項３】
透明カバーと表示シートが分離可能であり、締付けリングと透明カバーを取り外して表示シートを交換できるようにしている請求項１記載の飲料容器。
【請求項４】
第１外周部に、透明カバーの周壁又はこれと一体化した部分に全周にわたって接するＯリングを装着している請求項１、２又は３記載の飲料容器。
【発明の詳細な説明】
【技術分野】
【０００１】
この発明は、茶、水、清涼飲料水等の飲料を入れて携帯することが可能な飲料容器に関するものである。
【背景技術】
【０００２】
茶、水、清涼飲料水等の飲料を入れて携帯することが可能な飲料容器としては、特許文献１に記載のようなものがある。この種の飲料容器は、ステンレス製の真空ビンと蓋体等からなるもので、これまで耐久性を高めたり、保温性を良くしたりなど、様々な改良がなされてきている。
【０００３】
しかし、デザイン面や広告効果等に関し、飲料容器において外から見える領域を活用するという観点での改良は特に行われていなかったため、ギフト商品としての利用や、一般消費者用としての利用面においても、商品としての魅力に物足らない点があった。
【特許文献１】意匠登録第１０２７８６４号公報
【発明の開示】
【発明が解決しようとする課題】
【０００４】
そこで、この発明は、蓋体に種々の文字、図柄、人物、風景を表したものなど、容易に様々なデザインを施したものとすることを可能とし、ギフト商品としての利用や、一般消費者用としての利用面においても、商品としての魅力を高めた飲料容器を提供することを課題とする。
【課題を解決するための手段】
【０００５】
前記課題を解決するため、この発明は次のような技術的手段を講じている。
【０００６】
この発明の飲料容器は、上方に開口した容器本体と、容器本体の上部に着脱可能な蓋体を有する飲料容器であって、蓋体には、上方に突出形成した上部に円形の第１外周部を形成するとともに、その下方に第２外周部を形成し、第２外周部は第１外周部よりも大径で螺子を周設したものとし、円板状の透明カバーを、その周縁下側に設けた周壁が第１外周部を外側から囲むようにして取り付け、第１外周部上方と透明カバーの間に適宜の表示を付した表示シートを、透明カバーを透過して見える態様で保持しており、さらに、透明カバーの周縁部を囲むようにした締付けリングを、その下端側の内面に設けた螺子を第２外周部の螺子に螺合させて取り付け、透明カバーを保持したものとしている。
【０００７】
また、透明カバーの下側に表示シートを挟んで下部カバーを設け、透明カバーと下部カバーの互いの周縁部を溶着して一体化し、透明カバーと表示シートを分離できないようにしたものとすることができる。
【０００８】
さらに、透明カバーと表示シートが分離可能であり、締付けリングと透明カバーを取り外して表示シートを交換できるようにしたものとすることができる。
【０００９】
そして、第１外周部に、透明カバーの周壁又はこれと一体化した部分に全周にわたって接するＯリングを装着したものとすることができる。
【発明の効果】
【００１０】
この発明の飲料容器は、上述のような構成を有しており、種々の文字、図柄、人物、風景等を表した表示シートを使用することにより、容易に蓋体を様々なデザインを施したものとすることが可能であり、ギフト商品としての利用や、一般消費者用としての利用面においても、商品としての魅力を高めた飲料容器を提供することができる。
【発明を実施するための最良の形態】
【００１１】
以下、この発明の好適な実施形態を、図面を参照して説明する。
【００１２】
図１はこの発明の実施形態の飲料容器の斜視図、図２は開蓋状態にした飲料容器の説明図、図３は飲料容器の本体の分解斜視図、図４は蓋体２（ギフト用）の分解斜視図、図５は飲料容器の蓋体２（ギフト用）付近の断面図、図６蓋体２（一般用）の分解斜視図、図７は飲料容器の蓋体２（一般用）付近の断面図である。なお、図５、図７では、表示シート２３の断面を塗りつぶして図示している。
【００１３】
この飲料容器は、上方に開口した容器本体１と、容器本体１の上部に着脱可能な蓋体２を有する飲料容器であって、蓋体２には、上方に突出形成した上部に円形の第１外周部３を形成するとともに、その下方に第２外周部４を形成し、第２外周部４は第１外周部３よりも大径で螺子４ａを周設したものとし、円板状の透明カバー２４を、その周縁下側に設けた周壁２４０が第１外周部３を外側から囲むようにして取り付け、第１外周部３上方と透明カバー２４の間に適宜の表示を付した表示シート２３を、透明カバー２４を透過して見える態様で保持しており、さらに、透明カバー２４の周縁部を囲むようにした締付けリング２５を、その下端側の内面に設けた螺子２５ａを第２外周部４の螺子４ａに螺合させて取り付け、透明カバー２４を保持するようにしている。
【００１４】
この飲料容器は、図１、図２に示したように、容器本体１と蓋体２が着脱自在であり、容器本体１内に茶、水、清涼飲料水等の飲料を入れて携帯し、レジャーや仕事の際に利用することが可能である。
【００１５】
図３に示したように、容器本体１は、真空ビン１０、上端部材１１、及び飲み口１２から構成されたものとすることができる。容器本体１の各部の材質は、真空ビン１０はステンレス等の金属製、その他の部材は主にポリプロピレン等の合成樹脂製とすることができる。
【００１６】
真空ビン１０は有底円筒状で、外壁と内壁との間に隙間を有する二重構造のものとしている。真空ビン１０の上端部外周には、螺子１０ａが形成されている。
【００１７】
上端部材１１は、真空ビン１０の上端部に取り付けられるもので、環状であり、内側に真空ビン１０の前記螺子１０ａと螺合する螺子１１ａが形成されており、その上部は上方に突出した小径部１１０を有する形状としている。
【００１８】
飲み口１２は、上端部材１１の内側に取り付けられるもので、上部より下部が小径な略円筒状であり、上部の外周の下寄りの位置に前記上端部材１１の小径部１１０の内周縁が嵌る溝１２ａを有しており、下部はパッキン１３を介して真空ビン１０の上端部内面に接する。パッキン１３はシリコンゴム製とすることができる。また、飲み口１２の下部の内周面には、螺子１２ｂが形成されている。
【００１９】
この飲料容器をギフト用として実施する場合、蓋体２は、図４、図５に示したように、基部２０、Ｏリング２１、下部カバー２２、表示シート２３、透明カバー２４、締付けリング２５、栓部２６及びパッキン２７から構成されたものとすることができる。
【００２０】
蓋体２の各部の材質は、基部２０及び締付けリング２５はポリプロピレン等の合成樹脂製、下部カバー２２及び透明カバー２４はポリスチレン等の合成樹脂製、表示シート２３は紙製、Ｏリング２１及びパッキン２７はシリコンゴム製とすることができる。
【００２１】
基部２０は、上から下に向かって大径となる、上段２００、中段２０１及び下段２０２から構成される略円筒状のものであり、蓋体２の上部に位置する上段２００の外周に第１外周部３が形成され、その下の中段２０１の外周に第２外周部４が形成されている。第１外周部３には、Ｏリング２１を装着するための溝が形成されている。
【００２２】
また、基部２０の上面には、外周より少し内側の位置から、肉盗みのための環状凹部２０３が設けられている。基部２０の上面は、環状凹部２０３を除き平坦な面としている。基部２０の下段２０２の外周面には、一定間隔で縦長の略楕円形状の突起２０４が形成されており、蓋体２を取り外すとき、指がかかって回転させやすいようにしている。
【００２３】
Ｏリング２１は、前記第１外周部３の溝に装着される。Ｏリング２１は、後述の透明カバー２４の周壁２４０又はこれと一体化した部分（下部カバー２２）に全周にわたって接するようになっている。
【００２４】
表示シート２３は、上面に適宜の文字、図柄、人物、風景等のデザインを施したものであり（この実施形態では２つのハートマーク）、基部２０の上面外周の径よりやや小さな円形としている。
【００２５】
この飲料容器を企業のＰＲ等のためのギフト用として実施する場合には、表示シート２３に、企業のロゴマークや、商品のマーク、写真等を表示したものとすることができる。この場合、表示シート２３は、図４、図５に示したように、分離不可能な透明カバー２４と下部カバー２２との間に挟まれたものとするとよい。具体的には、透明カバー２４の下側に表示シート２３を挟んで下部カバー２２を設け、透明カバー２４と下部カバー２２の互いの周縁部を溶着して一体化すればよい。下部カバー２２と透明カバー２４との間には、表示シート２３の入る０．５ｍｍ程度の隙間を有するようにする。
【００２６】
このようにすれば、この飲料容器の使用者は、勝手に表示シート２３を外したり、表示シート２３を別の表示シートに取り替えたりすることができないので、常に蓋体２の上面において製造時の表示シート２３を維持することができる。
【００２７】
この実施形態では、下部カバー２２は、鍔付き帽子のような形状であり、透明カバー２４は円板の周縁に下方に垂下する比較的短い周壁２４０を設けたような形状としている。この実施形態では、透明カバー２４の周壁２４０は、間に下部カバー２２の周壁２２０を挟んで第１外周部３を外側から囲む構成となる。
【００２８】
下部カバー２２は、その周壁２２０の外周がほぼ隙間なく透明カバー２４の周壁２４０の内側に嵌るとともに、その下端部の外周縁部２２１の下面が、基部２０の中段２０１の周縁部の上面に接するようにして取り付けられる。
【００２９】
下部カバー２２の下端部の外周縁部２２１の上面は、透明カバー２４の周壁２４０の下端面と、超音波溶着により接着されたものとすることができる。さらに、下部カバー２２の周壁２２０の内面は、そのやや下寄りの位置でＯリング２１と接触するようにしており、この接触する箇所から下方を凹んだ形状とすることにより、Ｏリング２１との接触を確実に保ち、高い密閉性が得られるようにしている。
【００３０】
なお、この飲料容器をギフト用ではなく、一般用（一般の消費者が購入して使用するもの）として実施する場合には、図６、図７に示したように、下部カバー２２を使用せず、透明カバー２４と表示シート２３が分離可能なものとし、締付けリング２５と透明カバー２４を取り外すことにより、表示シート２３を交換できるようにするとよい。このようにすれば、使用者が、表示シート２３を好みのものに変更して、様々なデザインを楽しむことができる。
【００３１】
なお、この場合には、透明カバー２４の周壁２４０を基部２０の中段２０１上面に接する高さに形成するとともに、図示しないが、周壁２４０の内面のＯリング２１と接する箇所を、前記下部カバー２２の周壁２２０の内面と同様の形状にするとよい。また、透明カバー２４を取り外すときに摘みやすくするため、透明カバー２４の上面の周縁付近に溝２４１を設けるとよい。
【００３２】
締付けリング２５は、上端部２５０が内側に突出した短い円筒状で、内面下部に前記第２外周部４の螺子４ａに螺合する螺子２５ａが形成されている。上端部２５０の内径は、透明カバー２４の外形より小さくなっており、締付けリング２５の装着時に、透明カバー２４を上から押さえるようにしている。
【００３３】
栓部２６は、上部を比較的大径、下部を小径とした有底の略円筒状で、蓋体２を容器本体１に取り付けたときに飲み口１２の内側に位置して、飲み口１２からの飲料の漏れ出しを防止するためのものである。
【００３４】
栓部２６の上端部は、基部２０の前記環状凹部２０３の裏側に位置してこの部分と溶着されたものとすることができる。栓部２６の小径部の外周には、飲み口１２の内面の螺子１２ｂに螺合する螺子２６ａが形成されており、また、下部の外周の上端部に、パッキン２７が装着されて、パッキン２７を介して飲み口１２の内面に接するようにしている。
【００３５】
この飲料容器は、上述のように構成されており、容器本体１に対し蓋体２を回転させることにより、蓋体２を着脱することができる。蓋体２を回転させる際には、基部２０の下段２０２の外周面の突起２０４に指を掛けるとよい。
【００３６】
この飲料容器をギフト用として実施した場合は、勝手に表示シート２３を外したり、表示シート２３を別の表示シート２３に取り替えたりできないため、提供企業のＰＲ用に適しており、また、一般用として実施した場合は、透明カバー２４を取り外して、表示シート２３を別のものに取り替えることができるので、使用者の嗜好に応じて様々なデザインを楽しむことが可能となる。
【００３７】
また、ギフト用と一般用とは、表示シート２３、透明カバー２４及び下部カバー２２の構成のみが異なり、大部分の部材が共通し、製造工程も共通化できるので、必要に応じて臨機応変にギフト用、一般用の各実施品に切り替えて製造することができる。
【００３８】
なお、この発明は、前述の実施形態に限定されるものではなく、素材、形状、寸法等を適宜変更して実施することができる。
【図面の簡単な説明】
【００３９】
【図１】この発明の実施形態の飲料容器の斜視図である。
【図２】この発明の実施形態の飲料容器を開蓋状態にした場合の説明図である。
【図３】この発明の実施形態の飲料容器の本体の分解斜視図である。
【図４】この発明の実施形態の飲料容器の蓋体（ギフト用）の分解斜視図である。
【図５】この発明の実施形態の飲料容器の蓋体（ギフト用）付近の断面図である。
【図６】この発明の実施形態の飲料容器の蓋体（一般用）の分解斜視図である。
【図７】この発明の実施形態の飲料容器の蓋体（一般用）付近の断面図である。
【符号の説明】
【００４０】
１  容器本体
２  蓋体
２１  Ｏリング
２２  下部カバー
３  第１外周部
４  第２外周部
４ａ  螺子
２３  表示シート
２４  透明カバー
２４０  周壁
２５  締付けリング
２５ａ  螺子
【図１】
0005181335.tif 000002
【図２】
0005181335.tif 000003
【図３】
0005181335.tif 000004
【図４】
0005181335.tif 000005
【図５】
0005181335.tif 000006
【図６】
0005181335.tif 000007
【図７】
0005181335.tif 000008